(57)【要約】【課題】地上波デジタル放送を受信可能な受信端末を所持している購買ユーザに対して、その購買行動と連動した最適な情報を提供する。【解決手段】携帯電話端末等の受信端末に入力された商品購入情報またはサービス受領情報をユーザ情報と関連付けて放送局サーバに蓄積しておき、受信端末でテレビ放送局からの番組コンテンツの受信中に、その放送局サーバと通信を行って、そのユーザ情報に基づいて前記商品またはサービスに関連した一次リンクＢＭＬデータを放送局サーバから受信することによって、当該ユーザは商品購入またはサービス受領と連動した情報を得ることが可能となる。【選択図】図１
2008085827.tif 000002
【特許請求の範囲】
【請求項１】
テレビ放送局から番組コンテンツおよび放送ＢＭＬデータを受信し、放送局サーバから一次リンクＢＭＬデータを受信し表示するデジタル放送受信端末を用いた情報出力システムであって、
商品購入情報またはサービス受領情報を入力する入力手段と、
入力された商品購入情報またはサービス受領情報をユーザ情報と関連付けて蓄積する放送局サーバと、
テレビ放送局からの番組コンテンツの受信中に、前記放送局サーバと通信を行い、当該ユーザ情報に基づいて前記商品またはサービスに関連した一次リンクＢＭＬデータを放送局サーバから受信し、当該番組コンテンツと同時に表示するデジタル放送受信端末を用いた情報出力システム。
【請求項２】
前記放送局サーバには、番組ＩＤと商品・サービスＩＤと、リンク先アドレス（一次リンクＢＭＬデータ）とが関係付けられた表示情報制御テーブルが設けられており、
このリンク先アドレス（一次リンクＢＭＬデータ）が前記番組コンテンツと同時に表示されることを特徴とする請求項１記載のデジタル放送受信端末を用いた情報出力システム。
【発明の詳細な説明】
【技術分野】
【０００１】
本発明は、地上波デジタル放送を利用した受信端末における情報出力システムに関する。
【背景技術】
【０００２】
地上波デジタル放送では、６ＭＨｚの放送波を１３個の帯域に分割し、各帯域毎に搬送波の変調方式や畳み込み符号の符号化率を選択できるようにしている。そして分割した各帯域をセグメントと呼んでいる。この１セグメント分の帯域を使用した携帯端末向けのデジタル放送がいわゆる「ワンセグ放送」として実現されている。
【０００３】
ワンセグ放送対応の受信端末としては、モバイル型のパーソナルコンピュータ、カーナビゲーションシステム、携帯電話端末等が開発されており、ノイズの少ないテレビ放送の受信が可能となっている。
【０００４】
一方、このようなワンセグ放送では、放送コンテンツと同時にＢＭＬブラウザと呼ばれる特殊な閲覧プログラムにより放送と重畳された文字や図形からなる表示データ（ＢＭＬデータ）を受信することができ、このデータがマーケティングに有効な手段となることが期待されている。
【０００５】
テレビ放送と連動した視聴情報の取得手段としては、例えば、特許文献１に記載されたテレビ放送を利用したスタンプサービスシステムでは、受信機のメモリに視聴中の番組ＩＤを記録したスタンプマークを記憶させ、スタンプマークが一定数貯まった時に、視聴者にプレゼントへの応募資格を付与するサービスが提案されている。
【特許文献１】特開２００２−３２５２４４号公報
【発明の開示】
【発明が解決しようとする課題】
【０００６】
マーケティングにおいては、消費者の購買行動と連動したプロモーション（商品やその中心購買層に対して特に有効な情報の提供）が最も有効であるとされているが、従来のＢＭＬデータ配信では個々の消費者（端末ユーザ）に対して購買行動を取得する手段がなく、かつそれをＢＭＬデータ配信と連動させる仕組みがないため、このような購買連動サービスを提供することができなかった。
【０００７】
本発明は、このような点に鑑みてなされたものであり、地上波デジタル放送を受信可能な受信端末を所持している購買ユーザに対して、その購買行動と連動した最適な情報を提供することが可能な仕組みを提供することを技術的課題とする。
【課題を解決するための手段】
【０００８】
前記課題を解決するために、本発明では、以下の手段を採用した。
【０００９】
本発明の請求項１は、テレビ放送局から番組コンテンツおよび放送ＢＭＬデータを受信し、放送局サーバから一次リンクＢＭＬデータを受信し表示するデジタル放送受信端末を用いた情報出力システムであって、商品購入情報またはサービス受領情報を入力する入力手段と、入力された商品購入情報またはサービス受領情報をユーザ情報と関連付けて蓄積する放送局サーバと、テレビ放送局からの番組コンテンツの受信中に、前記放送局サーバと通信を行い、当該ユーザ情報に基づいて前記商品またはサービスに関連した一次リンクＢＭＬデータを放送局サーバから受信し、当該番組コンテンツと同時に表示するデジタル放送受信端末を用いた情報出力システムである。
【００１０】
このように、受信端末に入力された商品購入情報またはサービス受領情報をユーザ情報と関連付けて放送局サーバに蓄積しておき、受信端末でテレビ放送局からの番組コンテンツの受信中に、その放送局サーバと通信を行って、そのユーザ情報に基づいて前記商品またはサービスに関連した一次リンクＢＭＬデータを放送局サーバから受信することによって、当該ユーザは商品購入またはサービス受領と連動した情報を得ることが可能となる。
【００１１】
本発明の請求項２は、前記放送局サーバには、番組ＩＤと商品・サービスＩＤと、リンク先アドレス（一次リンクＢＭＬデータ）とが関係付けられた表示情報制御テーブルが設けられており、このリンク先アドレス（一次リンクＢＭＬデータ）が前記番組コンテンツと同時に表示されることを特徴とする請求項１記載のデジタル放送受信端末を用いた情報出力システムである。
【００１２】
これによれば、番組ＩＤと連動させた情報を提供することができ、番組の内容に応じた情報をユーザに提供することができる。
【発明の効果】
【００１３】
本発明によれば、地上波デジタル放送を受信可能な受信端末を所持している購買ユーザに対して、その購買行動と連動した最適な情報を提供することができる。
【発明を実施するための最良の形態】
【００１４】
以下、本発明の最良な実施形態を図に基づいて説明する。
【００１５】
図１は、本発明を適用した一実施形態の情報出力システムのシステム構成を示す図である。図１において、情報出力システム１０は、デジタル放送送出装置１００と、デジタル放送受信端末と、放送局サーバ３００と、から構成され、デジタル放送受信端末２００と、放送局サーバ３００と、はインターネットＮを介して接続される。
【００１６】
デジタル放送送出装置１００は、各種番組等の番組データと、番組に連動するまたは独自のデータ放送を提供するＢＭＬデータを含む放送用データをテレビ放送電波に変調して放送する。デジタル放送受信端末２００は、デジタル放送送出装置２００から放送されるテレビ放送電波を受信し、そのテレビ放送電波を復調して番組データを再生するとともに、ＢＭＬデータに基づくデータ放送を表示する。また、デジタル放送受信端末２００は、インターネットＮを介して放送局サーバ３００との間で、商品購入またはサービス利用情報に関する通信と、それに基づくコンテンツ配信のための通信等を行う。放送局サーバ３００はインターネットＮを介してデジタル放送受信端末２００との間で、商品購入またはサービス利用情報に関する通信と、それに基づくコンテンツ配信のための通信等を行い、そのための各種情報の蓄積等を行う。
【００１７】
図２は、デジタル放送受信端末２００の構成を示すブロック図である。ここで説明するデジタル放送受信端末２００としては、いわゆるワンセグ携帯電話端末をはじめ、デジタルチューナを搭載・接続したパーソナルコンピュータ、ＰＤＡ(Personal Data Assistant)等、いわゆる地上波デジタル放送を受信・表示でき、かつインターネットへのアクセスが可能でブラウザプログラムを搭載した装置であればいかなるものであってもよい。
【００１８】
図２において、デジタル放送受信端末２００は、制御部２０１と、入力部２０２と、表示部２０３と、通信部２０４と、映像・音声受信部２０５と、データ放送受信部２０６と、サービス情報入力部２０７と、を備え、各部はバス２０８を介して接続されている。
【００１９】
制御部２０１は、各種プログラムを読み出して実行処理することによって、デジタル放送受信端末２００内部の各部を制御する。
【００２０】
入力部２０２は、テンキー及び各種ファンクションキー等を備え（ワンセグ携帯電話端末の場合には数字キー、パーソナルコンピュータやＰＤＡの場合にはキーボードやテンキー等がこれに該当する）、ユーザによるキー操作に応じたキー入力信号を制御部２０１に出力する。
【００２１】
表示部２０３は、液晶表示パネル・スピーカー等により構成され、制御部２０１から出力される表示制御信号に基づいて、映像・音声受信部２０５やデータ放送受信部２０６から出力されたデジタル放送番組やＢＭＬデータ放送等のコンテンツを表示・再生する。
【００２２】
通信部２０４は、インターネットＮと接続し、インターネットＮを介して放送局サーバ３００との間で通信を実行する通信機能を有する。
【００２３】
映像・音声受信部２０５は、デジタル放送送出装置１００から放送される映像・音声のテレビ放送電波を受信して復調し、復調した映像・音声を表示部２０３へ出力する。
【００２４】
データ放送受信部２０６は、デジタル放送送出装置１００から放送されるＢＭＬデータを受信するとともに、通信部２０４を介して放送局サーバからＢＭＬデータを受信し、それぞれのＢＭＬデータを表示部２０３へ出力する。
【００２５】
サービス情報入力部は、二次元コードリーダーなどのアプリケーションその他を用い、デジタル放送受信端末ユーザ個々の商品購入情報またはサービス利用情報を取得し、その情報を通信部２０４を介して放送局サーバ３００に送出する。
【００２６】
放送局サーバ３００は、ＢＭＬサーバ３００ａと、ＷＥＢサーバ３００ｂと、を備える。
【００２７】
ＢＭＬサーバ３００ａは、放送と連携してデータ放送受信端末２００で表示させるＢＭＬデータの通信を制御する。
【００２８】
ＷＥＢサーバ３００ｂは、その他一般的なインターネット通信を制御する。
【００２９】
当サービスを制御するためのデータベースは放送局サーバ３００中にあり、図３〜図６に示すように、表示情報制御テーブル４０１と、ユーザテーブル４０２と、商品・サービステーブル４０３と、購入情報テーブル４０４と、を格納する。
【００３０】
図３に示す表示情報制御テーブル４０１は、当サービス対応番組を識別する「番組ＩＤ」と、ユーザ（番組視聴者）がどの商品もしくはサービスを購入もしくは利用したかで画面を切り替えるかを示す「商品・サービスＩＤ」と、前記「商品・サービスＩＤ」に該当した場合に遷移する画面のアドレスを示す「リンク先アドレス」と、を対応付けて記憶する。なお、単純な商品・サービスの購入・利用でなく、複雑な条件（例えば、商品の合計購入金額など）にて遷移する画面を切り替える場合などは、別途項目を付け足してもよい（「（その他制御情報）・・・」）。
【００３１】
図４に示すユーザテーブル４０２は、ユーザを識別する「ユーザＩＤ」と、ユーザが保有するデジタル放送受信端末２００の識別情報・製造番号などを示す「端末識別情報」と、を対応付けて記憶する。なお、ユーザの名前・メールアドレスなどの項目を記憶させる必要がある場合などは、別途項目を付け足してもよい（「その他取得情報」・・・）。
【００３２】
図５に示す商品・サービステーブル４０３は、ユーザが購入もしくは利用した商品もしくはサービスを識別する「商品・サービスＩＤ」と、商品もしくはサービスの名称を示す「商品名」と、商品もしくはサービスの価格を示す「価格（円）」と、を対応付けて記憶する。なお、商品の説明などの項目を記憶させる必要がある場合などは、別途項目を付け足してもよい（「（その他情報」・・・」）。
【００３３】
図６に示す購入情報テーブル４０４は、購入・利用履歴個々を識別する「ＩＤ」と、購入・利用を行ったユーザを示す「ユーザＩＤ」と、購入・利用の対象の商品・サービスを示す「商品・サービスＩＤ」と、を対応付けて記憶する。
【００３４】
次に、本実施の形態の情報出力システム１０における動作について説明する。
【００３５】
図７は、デジタル放送受信端末２００にて、商品・サービスの購入・利用情報を放送局サーバ３００に記憶し、その後同端末にてデジタル放送を視聴して、放送局サーバに記憶された購入・利用情報に基づいた画面が表示されるまでを示すフロー図である。図８〜図１０は前記フロー図中でデジタル放送受信端末２００に表示される画面の一例である。
【００３６】
ユーザは当サービスに対応した商品・サービスを購入した場合、商品購入情報またはサービス受領情報（以下、商品購入情報）を取得する。（例えば、購入商品のレシートに二次元コードなどの情報が付与されている）
【００３７】
デジタル放送受信端末２００のサービス情報入力部２０７は、前記商品購入情報を取得するか否かを判別する（ステップＳ１０１）。図８は前記商品購入情報をデジタル放送受信端末２００にて取得をしている画面例である。
【００３８】
デジタル放送受信端末２００のサービス情報入力部２０７は、商品購入情報を取得した場合は（ステップＳ１０１：Ｙ）、デジタル放送受信端末２００の端末識別情報と、商品購入情報を対応付けて放送局サーバ３００のＷＥＢサーバ３００ｂへ送出し、ステップＳ２０１へ移行する。
【００３９】
デジタル放送受信端末２００のサービス情報入力部２０７は、商品購入情報を取得しない場合は（ステップＳ１０１：Ｎ）、本処理を繰り返し実行する。
【００４０】
放送局サーバ３００のＷＥＢサーバ３００ｂは、デジタル放送受信端末２００から端末識別情報と対応付けられた商品購入情報を受信すると、ユーザテーブル４０２を参照してユーザ認証を行う（ステップＳ２０１）。
【００４１】
ユーザテーブル４０２に、該当のユーザが存在する場合（ステップＳ２０１：Ｙ）、ステップＳ２０２に移行する。
【００４２】
ユーザテーブル４０２に、該当のユーザが存在しない場合（ステップＳ２０１：Ｎ）、デジタル放送受信端末２００にユーザ登録案内画面を表示させ（ステップＳ１０２）、本処理を終了する。
【００４３】
ユーザ認証に成功した場合（ステップＳ２０１：Ｙ）、ＷＥＢサーバ３００ｂは、購入情報テーブル４０４に、購入ユーザＩＤと紐付けて商品購入情報を蓄積する（ステップＳ２０２）。さらに、蓄積された商品購入情報をＢＭＬサーバ３００ａと同期し、デジタル放送受信端末２００に情報登録完了画面を表示させ（ステップＳ１０３）、本処理を終了する。
【００４４】
その後、デジタル放送受信端末２００は、ユーザの任意のタイミングでのデジタル放送受信機能の立ち上げを待ち（ステップＳ１０４）、デジタル放送受信機能が立ち上がった場合（ステップＳ１０４：Ｙ）、放送ＢＭＬデータに付与された信号に基づいて受信している番組が本サービスの対応番組か否かを判断する（ステップＳ１０５）。
【００４５】
番組が本サービスに対応している場合（ステップＳ１０５：Ｙ）、ステップＳ１０６へ移行する。
【００４６】
番組が本サービスに対応していない場合（ステップＳ１０５：Ｎ）、本処理を終了する。
【００４７】
番組が本サービスに対応している場合（ステップＳ１０５：Ｙ）、デジタル放送受信端末は、ＢＭＬデータ表示部分に番組情報を表示し（ステップＳ１０６）、ユーザのログインを促す。図９はステップＳ１０６が意図する画面の一例である。
【００４８】
次にデジタル放送受信端末２００はユーザがログインリンクを操作したかどうか判断し（ステップＳ１０７）、ログインリンクを操作した場合（ステップＳ１０７：Ｙ）、ステップＳ３０２へ移行し、ログインリンクを操作しない場合、本処理を繰り返す。
【００４９】
ログイン操作が行われると（ステップＳ１０７：Ｙ）、デジタル放送受信端末２００から端末識別情報などのユーザ識別情報がＢＭＬサーバ３００ａへ送信され、ＢＭＬサーバ３００ａは送られた情報とユーザテーブル４０２を参照し、ユーザ認証を行う（ステップＳ３０２）。
【００５０】
ユーザテーブル４０２に、該当のユーザが存在する場合（ステップＳ３０２：Ｙ）、ステップＳ３０３に移行する。ユーザテーブル４０２に、該当のユーザが存在しない場合（ステップＳ３０２：Ｎ）、デジタル放送受信端末２００にエラー画面を表示させ（ステップＳ１０８）、本処理を終了する。
【００５１】
ユーザ認証に成功した場合（ステップＳ３０２：Ｙ）、ＢＭＬサーバ３００ａは、表示情報制御テーブル４０１にて現在の番組（表示情報制御テーブル４０１「番組ＩＤ」で制御）にて連動する商品を参照し（表示情報制御テーブル４０１「商品・サービスＩＤ」で制御）、また該当ユーザがその商品を購入しているか否か、購入情報テーブル４０４を参照して判断し、その結果に応じて出力するページを決定し（表示情報制御テーブル４０１「リンク先アドレス」で制御）デジタル放送受信端末２００に結果を送信する（ステップＳ３０３）。
【００５２】
ＢＭＬサーバ３００ａから、前記ステップＳ３０３の結果を受信したデジタル放送受信端末２００は、前記ステップＳ３０３の結果に基づいたページを表示し（ステップＳ１０９）、本処理を終了する。図１０はＳ１０９にて出力される画面の一例である。
【００５３】
以上のように、本実施の形態の情報出力システムによれば、デジタル放送での番組視聴時に、例えばデジタル放送受信端末にてユーザＩＤと紐付けた商品購入情報を、放送局の持つサーバのデータベースに蓄積することにより、ユーザの購買行動に基づいた画面をデジタル放送受信端末に表示させることができる。これにより、特に広告収入により運営される放送局（いわゆる民放）の番組の媒体価値を高めることができ、さらには取得した個々のユーザの商品購入情報により、マーケティングデータの取得、もしくは放送局が不得意とするユーザ個々の趣向性に基づいたサービスへの応用などができるようになり、放送局は従来のビジネスの枠組みを超えた活動が可能となる。
【００５４】
なお、本発明の情報出力システムは、上記した実施の形態に限定されるものではなく、本発明の要旨を逸脱しない範囲内において種々変更を加え得ることは勿論である。
【産業上の利用可能性】
【００５５】
本発明は、地上波デジタル放送に連動した情報提供サービスに利用できる。
【図面の簡単な説明】
【００５６】
【図１】本発明の一実施の形態に係る情報出力システムの全体構成を示すブロック図である。
【図２】本実施の形態に係るデジタル放送受信端末の構成を示すブロック図である。
【図３】本実施の形態に係る表示情報制御テーブルの一例を示す図である。
【図４】本実施の形態に係るユーザテーブルの一例を示す図である。
【図５】本実施の形態に係る商品・サービステーブルの一例を示す図である。
【図６】本実施の形態に係る購入情報テーブルの一例を示す図である。
【図７】本実施の形態に係るサービスフローの一例を示す図である。
【図８】本実施の形態に係るデジタル放送受信端末において表示される商品購入情報入力画面の一例を示す図である。
【図９】本実施の形態に係るデジタル放送受信端末において表示されるサービスログイン画面の一例を示す図である。
【図１０】本実施の形態に係るデジタル放送受信端末において表示される商品購入情報に応じた画面の一例を示す図である。
【符号の説明】
【００５７】
１０    情報出力システム
１００  デジタル放送送出装置
２００  デジタル放送受信端末
２０１  制御部
２０２  入力部
２０３  表示部
２０４  通信部
２０５  映像・音声受信部
２０６  データ放送受信部
２０７  サービス情報入力部
３００  放送局サーバ
３００ａ  ＢＭＬサーバ
３００ｂ  ＷＥＢサーバ
４０１  表示情報制御テーブル
４０２  ユーザテーブル
４０３  商品・サービステーブル
４０４  購入情報テーブル
Ｎ      インターネット
【図１】
2008085827.tif 000003
【図２】
2008085827.tif 000004
【図３】
2008085827.tif 000005
【図４】
2008085827.tif 000006
【図５】
2008085827.tif 000007
【図６】
2008085827.tif 000008
【図７】
2008085827.tif 000009
【図８】
2008085827.tif 000010
【図９】
2008085827.tif 000011
【図１０】
2008085827.tif 000012